(57)【要約】      （修正有）【課題】太陽光パネルを使った街路灯は既に用いられているが太陽光を受光していない時間が一日平均１８時間ある。主に夜間、雨天、積雪、曇天に太陽光パネルは発電低下の影響を受ける。その他にも黄砂、樹木の枝落葉、鳥の汚物などが付着することで発電障害を起こす。受光効率を上げるためにパネル設置場所が高所である事で保守メンテナンスが難しい。街路灯設置後に発光効率を低下する原因を改善する街路灯装置を提供する。【解決手段】太陽光を受光センサーが感知すると、蓄電装置または風力装置で駆動して開閉式太陽光パネルを開口し、光を感知しなくなれば閉口することを特長とする太陽光パネル街路灯で開閉方式の太陽光パネルと風力発電を効率よくデザインした防犯地域、地震など災害時に頼りになる街路灯。【選択図】図１
2011040639.tif 000002
【特許請求の範囲】
【請求項１】
受光センサーが明るさを感知することで蓄電装置と垂直軸型風車と熱膨張で開閉駆動させる開閉式の太陽光パネルを備える街路灯。  
【請求項２】
受光センサーが暗さを感知することでＬＥＤ照明が50%点灯し、人感センサーが作動するとＬＥＤ照明の照度を100%点灯するセンサーを備える街路灯。
【請求項３】
デジタル防災行政無線システムを受信できる街路灯にカメラ、マイクとスピーカーを備え音声送受信装置を備える街路灯。
【請求項４】
インターネットに接続できる機能があり、利用者が持つ携帯電話と個人の安否情報を送信できるＩＣリーダー機能を備える街路灯。
【請求項５】
複数のLEDチップを組み合わせた携帯式の懐中ＬＥＤ電灯を装備し、街路灯から取り外しができる電磁誘導発電タイプのＬＥＤ照明を備える街路灯。
【請求項６】
蓄電装置は、開閉式太陽光パネル部の高所に設置し、直流を交流に変換するインバーターとパワーコントローラーからなりＬＥＤ照明、液晶テレビ、携帯電話の充電機能を備える街路灯。
【請求項７】
地震センサーが作動すると自動的にNHKワンセグTV放送を受信する、液晶ＴＶまたは有機ＥＬパネルを備える街路灯。
【発明の詳細な説明】
【技術分野】
【０００１】
本発明は、太陽光感知型の太陽光発電パネルと風力発電と携帯型ＬＥＤ照明装置、ＴＶモニター表示装置、無線通信装置を備える独立電源街路灯に関する。
【背景技術】
【０００２】
従来から街路灯には、深夜、積雪時に蓄電されていない時でも常にパネルは南向きで太陽光パネルを利用した独立型の電源装置は用いられている。
【０００３】
従来、街路灯の蓄電池部分は重量安定性と取替えの手間のために支柱の地下部に埋めていた。しかし津波や水災害時を考慮すると街路灯が水に浸かり動作しないという問題がある。
【０００４】
従来の改善策として、蓄電池部分を街路灯ポール中間部に備えることで水に浸かることは解決されたが、しかし通行人が突起物に接触する危険性がある。
【先行技術文献】
【特許文献】
【０００５】
【特許文献１】特開2008−057428号公報
【発明の概要】
【発明が解決しようとする課題】
【０００６】
太陽光パネルを使った街路灯は既に用いられているが太陽光を受光していない時間は一日平均１８時間ある。主に夜間、雨天、積雪、曇天に太陽光パネルは発電低下の影響を受ける。その他にも黄砂、公園樹木の枝や落葉、鳥の汚物などが付着することで発電障害を起こす。蓄電装置設置部分においても地震や水害時にも動作する設計と機器配置。街路灯設置後に発光効率の低下を改善する街路灯装置。本考案は、防犯地域、地震など災害時にも独立型で動作可能な街路灯である開閉方式の太陽光パネルと風力発電を効率よく機能化したデザインを特徴とする。
【課題を解決するための手段】
【０００７】
請求項１記載の本発明の開閉式太陽光パネルと垂直軸型風車による独立型街路灯は風車の回転による発電力と開閉式太陽光発電による手段で蓄電された電気を用いて受光センサーが明暗を感知することで蓄電装置と垂直軸型風車と熱膨張で開閉駆動させる開閉式の太陽光パネルを備える街路灯を特徴とする。請求項２記載の受光センサーが暗さを感知することで自動的にＬＥＤ照明が点灯し、人感センサーが感知作動することでＬＥＤ照明の照度をより明るく点灯する機構を備える街路灯を特徴とする。請求項３記載の本発明は、デジタル防災行政無線システムを受信できる街路灯に送信カメラ、マイクとスピーカーを備え音声送受信装置を備える双方向無線システム街路灯を特徴とする。請求項４の記載する本発明は無線ＬＡＮでインターネットに接続できる機能があり、利用者が持つ携帯電話や情報端末機器などで個人の安否情報を通信できるＩＣリーダー機能を備える街路灯を特徴とする。請求項５記載の本発明は上段のＬＥＤ照明は街路灯として作動し、下段のＬＥＤは取り外しができる携帯式のＬＥＤ電灯を装備し、電磁誘導発電タイプのＬＥＤ照明を備える街路灯を特徴とする。請求項６記載の本発明は蓄電装置を開閉式太陽光パネル部の
高所に設置し、災害時の電源確保と情報インフラの受発信基地として稼動し、直流を交流に変換するインバーターとパワーコントローラーからなるＬＥＤ照明、液晶テレビ、携帯電話の充電機能を備える街路灯を特徴とする。請求項７記載の本発明は地震センサーが作動すると蓄電した電力から自動的にNHKワンセグTV放送を受信する、液晶ＴＶまたは有機ＥＬパネルを備える街路灯を特徴とする。
【発明の効果】
【０００８】
本発明の効果は、天気に影響を受けずに昼夜を問わず風力を電力に変換し、日中は太陽光発電で電気に変換することができる。水害や津波、土砂災害にも蓄電機器が水没することがなく外部との通信機能、近郊の照明機能を安全に維持できる。防犯の目的で抑止力、監視、見張り番、危険通報と災害時の情報提供と異常事態の対応を迅速におこなえる。
【発明を実施するための形態】
【０００９】
本発明第１の実施の形態は、開閉式太陽光パネルと垂直軸型風車による独立型街路灯は、風を受けて風車の回転力による発電と開閉式太陽光発電で蓄電した電気を用いて受光センサーが明かりの照度を感知することで蓄電装置と垂直軸型風車と熱膨張で開閉駆動させる。特に、太陽光パネルセルおよびパネルモジュールを稼働式にして太陽光薄膜フレキシブルタイプを採用することで開閉式の太陽光パネルを備えて耐久性と効率性を高める。
【００１０】
本発明第２の実施の形態は、受光センサーが暗さを感知することで自動的にＬＥＤ照明装置が点灯し、尚且つ、人が近付くと人感センサーが感知するとＬＥＤ照明の照度を読書ができる程度に明るく点灯する機構を備えて、時には青色系ＬＥＤ照明で防犯に役立つ安全な公園にすることができる。
【００１１】
本発明第３の実施の形態は、デジタル防災行政無線システムを受信できる街路灯に送信カメラで道路、公園を遠隔監視できる。そして、監視本部からマイクとスピーカーで呼びかけ犯罪を未然に防ぐ、また災害時には避難や生存者安否連絡機能を備え音声画像送受信装置で双方向無線システムを利用できる。
【００１２】
本発明第４の実施の形態は、無線ＬＡＮのインターネット接続できる機能を有し利用者が持つ携帯電話や情報端末機器などで自分の安否情報をＩＣリーダー機能で簡単に連絡できる。
【００１３】
本発明第５の実施の形態は、上段の上部ＬＥＤ照明灯は街路灯として作動し、下段下部ＬＥＤ街路灯は懐中電灯になり電磁誘導発電式のＬＥＤ照明で取り外し災害時のテントや避難場所に持ち帰ることができる。
【００１４】
本発明第６の実施の形態は、特に災害時の電源確保をするために蓄電装置を開閉式太陽光パネル部のポール上部に設置し、直流を交流に変換するインバーターとパワーコントローラーでＬＥＤ照明、液晶テレビ、携帯電話の充電機能を備え情報インフラの受発信基地として稼動できる。特に蓄電能力は、曇天や雨が１週間続いても動作することができる。
【００１５】
本発明第７の実施の形態は、地震センサーが作動すると街路灯に備えた低消費電力の液晶ＴＶモニターおよび有機ＥＬパネルで、蓄電した電力から自動的にNHKワンセグをTV放送できる。
【産業上の利用可能性】
【００１６】
太陽光感知型の太陽光発電パネルと風力発電および携帯型ＬＥＤ照明装置、ＴＶモニター表示装置、無線通信装置にカメラ、マイク、スピーカーを備える独立型街路灯を提供することができる。
【図面の簡単な説明】
【００１７】
【図１】開閉式太陽光パネルが開口状態
【図２】開閉式太陽光パネルが閉口状態
【図３】駆動センサー装置
【図４】下部ＬＥＤ照明灯
【符号の説明】
【００１８】
１風力発電装置
２太陽光パネル開状態
３太陽光パネル閉状態
４駆動センサー装置
５蓄電通信装置
６上部LED照明灯
７下部LED照明灯
８受光センサー
【図１】
2011040639.tif 000003
【図２】
2011040639.tif 000004
【図３】
2011040639.tif 000005
【図４】
2011040639.tif 000006
【手続補正書】
【提出日】平成21年8月20日(2009.8.20)
【手続補正１】
【補正対象書類名】明細書
【補正対象項目名】０００５
【補正方法】変更
【補正の内容】
【０００５】
【特許文献１】特開2007−280660号公報